(57)【要約】【課題】暖房便座からの放熱を抑制することができ、しかも着座者にも快適なものとなる便蓋と、この便蓋を備えた洋風便器を提供する。【解決手段】便蓋４に、該便蓋４を便座３上に倒伏させたときに、該便蓋４の周縁から便座３の外周囲に沿って下方へ垂下するカーテン５が設けられている。カーテン５は、便蓋４の周縁に沿って、該便蓋４を便座３上に倒伏させた状態における該便蓋４の左右方向の一方の側辺の後端近傍から該便蓋４の前端側を回り込んで該便蓋４の他方の側辺の後端近傍まで延在している。便蓋４を起立させると、カーテン５は自重により下方へ垂下する。【選択図】図１
2009082189.tif 000002
【特許請求の範囲】
【請求項１】
洋風便器に対し便座と共に設置される便蓋において、
便器上に倒伏した状態において便蓋周縁から便座外周囲に沿って垂下するカーテンを設けたことを特徴とする便蓋。
【請求項２】
請求項１において、該便蓋の周縁に沿ってカーテンガイドが設けられており、前記カーテンは該カーテンガイドに案内されて移動可能となっていることを特徴とする便蓋。
【請求項３】
洋風便器に対し便座と共に設置される便蓋において、
便器上に倒伏した状態において便蓋周縁から便座外周囲に沿って垂下した姿勢となり、便蓋が起立した状態では便蓋の側方ないしは後方へ開き出した姿勢となるフラップを備えたことを特徴とする便蓋。
【請求項４】
請求項３において、該フラップは、ヒンジによって回動可能に便蓋に設けられていることを特徴とする便蓋。
【請求項５】
暖房便座と、請求項１ないし４のいずれか１項に記載の便蓋とを備えた洋風便器。
【発明の詳細な説明】
【技術分野】
【０００１】
本発明は、洋風便器に設けられる便蓋に係り、特に暖房便座からの放熱を抑制するよう改良された便蓋に関する。また、本発明は、この便蓋を備えた洋風便器に関する。
【背景技術】
【０００２】
洋風便器には便座及び便蓋が起倒方向回動可能に設置されている。この便座としてヒータを備えた暖房便座が広く用いられている。
【０００３】
特開２００５−１３１０９３には、便蓋の側周縁から暖房便座側周面に垂下する垂下壁（同号公報では便蓋側面部と称している。）を設け、暖房便座からの放熱を抑制することが記載されている。
【特許文献１】特開２００５−１３１０９３
【発明の開示】
【発明が解決しようとする課題】
【０００４】
上記特開２００５−１３１０９３の便蓋にあっては、便蓋を起立させた状態で垂下壁が便蓋から前方へ大きく張り出す。このような張り出しは、便座に着座した使用者の身体（例えば腕や背）などに当り、不快感を惹起させ易い。
【０００５】
本発明は、このような問題点を解決し、暖房便座からの放熱を抑制することができ、しかも着座者にも快適なものとなる便蓋と、この便蓋を備えた洋風便器を提供することを目的とする。
【課題を解決するための手段】
【０００６】
請求項１の便蓋は、洋風便器に対し便座と共に設置される便蓋において、便器上に倒伏した状態において便蓋周縁から便座外周囲に沿って垂下するカーテンを設けたことを特徴とするものである。
【０００７】
請求項２の便蓋は、請求項１において、該便蓋の周縁に沿ってカーテンガイドが設けられており、前記カーテンは該カーテンガイドに案内されて移動可能となっていることを特徴とするものである。
【０００８】
請求項３の便蓋は、洋風便器に対し便座と共に設置される便蓋において、便器上に倒伏した状態において便蓋周縁から便座外周囲に沿って垂下した姿勢となり、便蓋が起立した状態では便蓋の側方ないしは後方へ開き出した姿勢となるフラップを備えたことを特徴とするものである。
【０００９】
請求項４の便蓋は、請求項３において、該フラップは、ヒンジによって回動可能に便蓋に設けられていることを特徴とするものである。
【００１０】
請求項５の洋風便器は、暖房便座と、請求項１ないし４のいずれか１項に記載の便蓋とを備えたものである。
【発明の効果】
【００１１】
本発明の便蓋及び洋風便器にあっては、便蓋を倒伏させると、カーテン又はフラップが便蓋の周縁から暖房便座外周面に沿って垂下する。これにより、暖房便座からの放熱が減少し、節電、省エネルギー効果が得られる。
【００１２】
便蓋を起立させると、カーテンは下方へ垂下し、フラップは側方ないし後方へ張り出すので、いずれも便蓋前方へ突出することがない。そのため、着座者の身体がカーテンやフラップに当って不快感を感取することが防止される。
【００１３】
なお、請求項２のようにカーテンをカーテンガイドに沿って移動可能とした場合、便蓋を起立させた状態でカーテンを便蓋の下部へ退避させることができる。このようにカーテンを下方へ退避させると、カーテンが着座者に当ることが十分に防止される。
【発明を実施するための最良の形態】
【００１４】
以下に、図面を参照して本発明の実施の形態について説明する。
【００１５】
第１図（ａ）は実施の形態に係る便蓋を備えた洋風便器の便蓋倒伏状態を示す斜視図、第１図（ｂ）はこの洋風便器の便蓋起立状態を示す斜視図、第２図はこの洋風便器に使用者が着座した状態を示す側面図である。
【００１６】
なお、以下の説明において、前後方向及び左右方向は、便座に着座した者にとっての前後方向及び左右方向と合致する。
【００１７】
第１図（ａ），（ｂ）に示す通り、この実施の形態では、洋風便器１の後部上面に便座ボックス２が設置され、この便座ボックス２の前面に、便座３及び便蓋４が起倒方向（上下方向）回動自在に取り付けられている。該便座３は、内部にヒータ（図示略）が設けられた暖房便座である。便座ボックス２内には、温水洗浄ノズル（図示略）等の各種トイレ機器と、これらの機器を制御する制御回路（図示略）とが設けられている。該制御回路は、便座３のヒータへの給電回路（図示略）を備えている。
【００１８】
便蓋４には、該便蓋４を便座３上に倒伏させたときに、該便蓋４の周縁から便座３の外周囲に沿って下方へ垂下するカーテン５が設けられている。該便蓋４は、便座３上に倒伏したときにその周縁部が便座３の外周囲よりも若干（例えば片側５〜２０ｍｍ程度）側外方へ張り出す大きさを有しており、この便蓋４の周縁部にカーテン５の上縁（便蓋４を便座３上に倒伏させた状態における上縁。以下、同様。）が連結されている。なお、このカーテン５の便蓋４への連結方法としては、例えばビス、フック、平面ファスナ等による留め付けや、接着剤、両面テープ等による接着などが挙げられる。ただし、カーテン５の便蓋４への連結方法はこれに限定されない。
【００１９】
第１図（ａ），（ｂ）の通り、このカーテン５は、便蓋４の周縁に沿って、該便蓋４を便座３上に倒伏させた状態における該便蓋４の左右方向の一方の側辺の後端近傍から該便蓋４の前端側を回り込んで該便蓋４の他方の側辺の後端近傍まで延在している。なお、このカーテン５は、便蓋４の該一方の側辺の後端近傍から該他方の側辺の後端近傍まで連続して延在した一枚物のカーテンであってもよく、該便蓋４の周縁に沿って複数枚のカーテンを配列してなるものであってもよい。
【００２０】
このカーテン５は、便蓋４を起立させたときに、自重により下方へ垂下しうる柔軟な材質よりなる。このカーテン５の材質としては、例えば撥水加工が施された織布や不織布、あるいは軟質合成樹脂製のシート等が挙げられるが、これに限定されるものではない。
【００２１】
便蓋４が便座３上に倒伏され、カーテン５が便座３の外周囲に沿って下方へ垂下した状態における該カーテン５の上下方向の幅は、３０〜８０ｍｍ、特に５０〜６０ｍｍであることが好ましい。便座３をカーテン５によって完全に覆うことにより、便座３からの放熱をより効果的に防ぐことが可能となる。
【００２２】
このように構成された便蓋４を備えた洋風便器１にあっては、第１図（ａ）のように、便座３及び便蓋４を洋風便器１上に倒伏させた状態においては、カーテン５が該便蓋４の周縁から便座３の外周囲に沿って垂下する。これにより、便座３からの放熱が減少し、節電、省エネルギー効果が得られる。
【００２３】
また、第１図（ｂ）のように、便蓋４を起立させると、このカーテン５は自重により下方へ垂下する。そのため、このカーテン５が便蓋４から前方へ突出することがない。これにより、第２図の通り、便器使用者が便座３に着座したときに、このカーテン５が該使用者の身体（例えば腕や背）に当ることが防止される。
【００２４】
なお、このカーテン５は簡便であり、且つ低コストである。なお、このカーテン５を既存の便蓋に取り付けるようにしてもよい。
【００２５】
第３図は別の実施の形態に係る便蓋を備えた洋風便器の便蓋倒伏状態を示す斜視図、第４図はこの洋風便器の便蓋起立回動途中状態を示す斜視図、第５図はこの洋風便器の便蓋起立完了状態を示す斜視図である。
【００２６】
第５図に示すように、この実施の形態においては、便蓋４Ａを便座３上に倒伏させた状態における該便蓋４Ａの下面の周縁に沿ってカーテンガイド６が延設されている。このカーテンガイド６は、便蓋４Ａを便座３上に倒伏させた状態における該便蓋４Ａの左側の側辺の後端近傍から該便蓋４Ａの前端側を回り込んで該便蓋４Ａの右側の側辺の後端近傍まで延在している。
【００２７】
この実施の形態では、該カーテンガイド６に案内されて移動可能な２枚のカーテン５Ｌ，５Ｒが設けられている。第３図の通り、カーテン５Ｌは、便蓋４Ａの周縁に沿って、該便蓋４Ａの前記左側の側辺の後端近傍から該便蓋４Ａの前記前端側の左右方向中間付近まで延在しうるものである。また、カーテン５Ｒは、便蓋４Ａの周縁に沿って、該便蓋４Ａの前記右側の側辺の後端近傍から該便蓋４Ａの前記前端側の左右方向中間付近まで延在しうるものである。
【００２８】
カーテンガイド６には、該カーテンガイド６に沿って摺動可能な複数個のスライダ（図示略）が設けられており、各カーテン５Ｌ，５Ｒは、各々の上縁の延在方向の途中部が所定距離ごとに該スライダに連結されている。各カーテン５Ｌ，５Ｒの上縁の後端側は、それぞれ、便蓋４Ａの左右の側辺の前記後端近傍に対し移動不能に連結されている。
【００２９】
即ち、各カーテン５Ｌ，５Ｒは、それぞれ、第３図のように、カーテンガイド６に沿って便蓋４Ａの左右の側辺の後端近傍から該便蓋４Ａの前端側の左右方向中間付近まで展開した展開状態と、第５図のように、全体としてカーテンガイド６に沿って便蓋４Ａの左右の側辺の後端側（便蓋４Ａが起立した状態にあっては下端側。以下、同様。）へ移動され、該後端側において塊状に折り畳まれた折り畳み状態とをとりうるようになっている。
【００３０】
各カーテン５Ｌ，５Ｒの前端側には、それぞれ、カーテンガイド６に沿って摺動可能なエンドピース５ａが連結されている。これらのエンドピース５ａ，５ａには、互いに磁気的に吸引し合うマグネット（図示略）が設けられている。なお、一方をマグネットとし、他方を鉄片としてもよい。
【００３１】
この実施の形態では、便蓋４Ａが便座３上に倒伏された状態においては、該便蓋４Ａの下面が前方に向って若干の下り勾配となるように構成されている。そのため、便蓋４Ａを便座３上に倒伏させると、各カーテン５Ｌ，５Ｒがそれぞれ自重によりカーテンガイド６に沿って便蓋４Ａの前端側へ移動し、これにより各カーテン５Ｌ，５Ｒが展開状態となる。このとき、各カーテン５Ｌ，５Ｒの前端側のエンドピース５ａ，５ａ同士がマグネットの吸引力によって合体し、これにより、カーテン５Ｌ，５Ｒ同士が連続したものとなる。ただし、カーテン５Ｌ，５Ｒを前方に引っ張って展開させてもよい。この場合、カーテンガイド６には勾配をつけなくてもよい。
【００３２】
エンドピース５ａ，５ａのマグネット同士の吸引力は、第４，５図のように、便蓋４Ａを起立回動させたときに、各カーテン５Ｌ，５Ｒの重量により該エンドピース５ａ，５ａ同士が分離することを許容する程度の強さとなっている。
【００３３】
この実施の形態のその他の構成は、第１，２図の実施の形態と同様であり、第３〜５図において第１，２図と同一符号は同一部分を示している。
【００３４】
このように構成された便蓋４Ａを備えた洋風便器１にあっても、第３図のように、便座３及び便蓋４Ａを洋風便器１上に倒伏させた状態においては、必要に応じカーテン５Ｌ，５Ｒを前方に引っ張ることにより、カーテン５Ｌ，５Ｒが該便蓋４Ａの周縁から便座３の外周囲に沿って垂下した展開状態となる。これにより、便座３からの放熱が減少し、節電、省エネルギー効果が得られる。
【００３５】
この実施の形態では、便蓋４Ａを起立回動させると、第４図のように、各カーテン５Ｌ，５Ｒの重量によりエンドピース５ａ，５ａ同士が分離し、各カーテン５Ｌ，５Ｒがそれぞれ自重によりカーテンガイド６に沿って便蓋４Ａの左右の側辺の後端側へ移動し、該後端側において折り畳み状態となる。これにより、第５図のように、便蓋４Ａを起立させた状態にあっては、各カーテン５Ｌ，５Ｒは、それぞれ、この起立した便蓋４Ａの左右の側辺の下端側へ退避した状態となっているため、このカーテン５Ｌ，５Ｒが該使用者の腕や背に当ることを十分に防止することができる。
【００３６】
なお、この実施の形態では、便蓋４Ａを起立回動させると、各カーテン５Ｌ，５Ｒの重量によりエンドピース５ａ，５ａ同士が分離し、各カーテン５Ｌ，５Ｒがそれぞれ自重により便蓋４Ａの左右の側辺の後端側へ移動するように構成されているが、前述の通り、本発明においては、手動によりエンドピース５ａ，５ａ同士を分離させて各カーテン５Ｌ，５Ｒを便蓋４Ａの左右の側辺の後端側へ移動させるように構成してもよい。この場合、カーテン５Ｌ，５Ｒに紐を接続し、紐を引っ張ることによりカーテン５Ｌ，５Ｒを展開させるようにしてもよい。
【００３７】
また、この実施の形態では、便蓋４Ａを倒伏させると、各カーテン５Ｌ，５Ｒが自重により自動的に便蓋４Ａの前端側へ移動して展開状態となるように構成されているが、本発明においては、各カーテン５Ｌ，５Ｒを手動により展開させるように構成してもよい。
【００３８】
この実施の形態では、便蓋４Ａの左側の側辺の後端近傍から該便蓋４Ａの前端側の左右方向中間付近まで延在しうるカーテン５Ｌと、便蓋４Ａの右側の側辺の後端近傍から該便蓋４Ａの前端側の左右方向中間付近まで延在しうるカーテン５Ｒの２枚のカーテンを設けているが、本発明においては、前述の第１，２図の実施の形態のように、便蓋４Ａの一方の側辺の後端近傍から該便蓋４Ａの前端側を回り込んで該便蓋４Ａの他方の側辺の後端近傍まで延在しうる一枚物のカーテンを設け、便蓋４Ａの起立時には、このカーテンをカーテンガイド６に沿って該一方の側辺の後端側又は他方の側辺の後端側へ移動させるように構成してもよい。また、本発明においては、３枚以上のカーテンをカーテンガイド６に沿って移動可能に配列してもよい。
【００３９】
第６図（ａ）はさらに別の実施の形態に係る便蓋を備えた洋風便器の便蓋倒伏状態を示す斜視図、第６図（ｂ）はこの洋風便器の便蓋起立状態を示す斜視図である。
【００４０】
この実施の形態では、便蓋４Ｂに、該便蓋４Ｂを便座３上に倒伏させたときに該便蓋４Ｂの周縁から便座３の外周囲に沿って下方へ垂下するフラップ８が設けられている。
【００４１】
第６図（ａ）の通り、この実施の形態では、該便蓋４Ｂは、略六角形状の平面視形状を有している。この便蓋４Ｂの便座ボックス２側の辺を除く各辺に沿ってそれぞれフラップ８が設けられている。即ち、この実施の形態では、便蓋４Ｂの左右の側辺、前端辺、左斜め前側辺及び右斜め前側辺の各辺に沿って計５個のフラップ８が設けられている。なお、本発明においては、便蓋４Ｂの平面視形状（フラップ８が取り付けられる辺の数）及びフラップ８の個数はこれに限定されない。
【００４２】
各フラップ８は、各々が取り付けられた便蓋４Ｂの各辺と略同一長さの帯板状のものであり、その長手方向を、各々が取り付けられた便蓋４Ｂの各辺と平行方向として配置されている。各フラップ８は、各々の一方の長側辺がヒンジ９により便蓋４Ｂの各辺に対し回動可能に連結されている。
【００４３】
各フラップ８は、便蓋４Ｂを便座３上に倒伏させたときには、第６図（ａ）のように、各々の自重により、該便蓋４Ｂの周縁から便座３の外周囲に沿って垂下した姿勢をとり、便蓋４Ｂを起立させたときには、第６図（ｂ）のように、便蓋４Ｂの側外方ないし後方へ開き出した姿勢をとりうるように回動可能となっている。
【００４４】
なお、この実施の形態では、便蓋４Ｂは、起立状態とされたときに、その上端側ほど後方側となるように傾いた姿勢となるように構成されている。そのため、この実施の形態では、便蓋４Ｂを起立させたときには、各フラップ８は、それぞれ自重により便蓋４Ｂの側外方ないし後方へ開き出すようになっている。
【００４５】
なお、便蓋４Ｂが便座３上に倒伏し、各フラップ８が該便蓋４Ｂの周縁から便座３の外周囲に沿って垂下した姿勢となったときには、隣り合うフラップ８の端辺同士が当接するか、又は該端辺同士の間隔がごく小さなものとなる。
【００４６】
便蓋４Ｂが便座３上に倒伏され、各フラップ８が便座３の外周囲に沿って下方へ垂下した状態における各フラップ８の上下方向の幅は、３０〜８０ｍｍ、特に５０〜６０ｍｍであることが好ましい。
【００４７】
この実施の形態のその他の構成は、第１，２図の実施の形態と同様であり、第６図において第１，２図と同一符号は同一部分を示している。
【００４８】
このように構成された便蓋４Ｂを備えた洋風便器１にあっても、第６図（ａ）のように、便座３及び便蓋４Ｂを洋風便器１上に倒伏させた状態においては、各フラップ８が該便蓋４Ｂの周縁から便座３の外周囲に沿って垂下する。これにより、便座３からの放熱が減少し、節電、省エネルギー効果が得られる。
【００４９】
また、第６図（ｂ）のように、便蓋４Ｂを起立させると、便蓋４Ｂが起立回動を停止するときの軽い衝撃により、各フラップ８が便蓋４Ｂの側外方ないし後方へ開き出す。そのため、各フラップ８が便蓋４Ｂから前方へ突出することがない。これにより、便器使用者が便座３に着座したときに、各フラップ８が該使用者の身体に当ることが防止される。
【００５０】
なお、本発明においては、例えばバネ（図示略）等により各フラップ８を便蓋４Ｂの側外方へ向って付勢しておき、便蓋４Ｂを起立させたときには、このバネ等の付勢力により各フラップ８が便蓋４Ｂの側外方ないし後方へ開き出すように構成してもよい。この場合、該バネ等の付勢力は、便蓋４Ｂを便座３上に倒伏させたときには各フラップ８がそれぞれ自重により下方へ垂下した姿勢となることを許容する程度の強さとされる。あるいは、本発明においては、便蓋４Ｂを起立させたときに、各フラップ８を手動により便蓋４Ｂの側外方ないし後方へ回動させるようにしてもよい。
【００５１】
上記の各実施の形態はいずれも本発明の一例を示すものであり、本発明は上記の各実施の形態に限定されるものではない。
【００５２】
例えば、上記の各実施の形態では、洋風便器１の後部上面に便座ボックス２が設置されているが、この便座ボックス２の代わりにロータンクカバー（図示略）が設置され、このロータンクカバーに便座及び便蓋が起倒方向回動自在に取り付けられてもよい。また、便座及び便蓋が洋風便器に対し、ヒンジ付き取付ボルト等によって直接的に起倒方向回動自在に取り付けられてもよい。
【図面の簡単な説明】
【００５３】
【図１】実施の形態に係る便蓋を備えた洋風便器の便蓋倒伏状態及び便蓋起立状態を示す斜視図である。
【図２】図１の洋風便器に使用者が着座した状態を示す側面図である。
【図３】実施の形態に係る便蓋を備えた洋風便器の便蓋倒伏状態を示す斜視図である。
【図４】図３の洋風便器の便蓋起立回動途中状態を示す斜視図である。
【図５】図３の洋風便器の便蓋起立完了状態を示す斜視図である。
【図６】実施の形態に係る便蓋を備えた洋風便器の便蓋倒伏状態及び便蓋起立状態を示す斜視図である。
【符号の説明】
【００５４】
１  洋風便器
２  便座ボックス
３  便座
４，４Ａ，４Ｂ  便蓋
５，５Ｌ，５Ｒ  カーテン
６  カーテンガイド
８  フラップ
９  ヒンジ
【図１】
2009082189.tif 000003
【図２】
2009082189.tif 000004
【図３】
2009082189.tif 000005
【図４】
2009082189.tif 000006
【図５】
2009082189.tif 000007
【図６】
2009082189.tif 000008